(57)【要約】【課題】プラテンに対して記録媒体を圧接させる補助板の傾きを生じにくい記録装置、及び、記録装置における記録媒体の支持構造を提供する。【解決手段】記録ヘッド２０により記録媒体に記録するプリンター１において、記録ヘッド２０に対向して配置されたプラテン２５と、記録ヘッド２０の上流側においてプラテン２５に記録媒体を圧接するシート案内補助板２４と、を備え、シート案内補助板２４の記録媒体と当接する先端部側は、プラテン２５の長手方向に並ぶ複数の案内片に分割されている。【選択図】図１
2010195540.tif 000002
【特許請求の範囲】
【請求項１】
記録ヘッドにより記録媒体に記録する記録装置において、
前記記録ヘッドと対向して配置されるプラテンと、
前記記録ヘッドの上流側において前記プラテンに前記記録媒体を圧接する案内補助板と、を備え、
前記案内補助板の前記記録媒体と当接する先端部側は、前記プラテンの長手方向に並ぶ複数の案内部に分割されていること、
を特徴とする記録装置。
【請求項２】
前記記録ヘッドの上流側において、前記案内補助板と前記プラテンとの間に前記記録媒体を導く案内部材が設けられ、
前記案内補助板の先端部側には、少なくとも前記案内部材の先端に重なる位置までスリットが形成されたこと、
を特徴とする請求項１記載の記録装置。
【請求項３】
前記案内補助板の各々の前記案内部は、前記記録媒体の弾力に抗し得る強さの力で前記プラテンに圧接されること、
を特徴とする請求項１または２記載の記録装置。
【請求項４】
記録ヘッドにより記録媒体に記録する記録装置において、
前記記録ヘッドと対向して配置されるプラテンと、
前記記録ヘッドの上流側において前記プラテンに前記記録媒体を圧接する複数の案内補助板と、を備え、
複数の前記案内補助板は、前記プラテンの長手方向に並べて配置されこと、
を特徴とする記録装置。
【請求項５】
記録ヘッドにより記録媒体に記録する記録装置において、前記記録媒体を支持する記録媒体の支持構造であって、
前記記録ヘッドと対向して配置されるプラテンに対し、前記記録ヘッドの上流側において、案内補助板によって前記記録媒体を圧接する構造を有し、
前記案内補助板の前記記録媒体と当接する先端部側は前記プラテンの長手方向に並ぶ複数の案内部に分割されていること、
を特徴とする記録媒体の支持構造。
【請求項６】
記録ヘッドにより記録媒体に記録する記録装置において、前記記録媒体を支持する記録媒体の支持構造であって、
前記記録ヘッドと対向して配置されるプラテンに対し、前記記録ヘッドの上流側において、複数の案内補助板によって前記記録媒体を圧接する構造を有し、
複数の前記案内補助板を、前記プラテンの長手方向に並べて配置したこと、
を特徴とする記録媒体の支持構造。
【発明の詳細な説明】
【技術分野】
【０００１】
本発明は、記録媒体に記録を行う記録装置、及び、記録媒体の支持構造に関する。
【背景技術】
【０００２】
従来、記録媒体に文字等を記録する記録装置において、ロール形状のプラテンに記録媒体を巻き付けて搬送するものが知られている。この種の記録装置としては、例えば、記録ヘッドよりも上流側においてプラテンに圧接される補助板を備え、この補助板とプラテンとの間に記録媒体を挟む構成を有するものがある（例えば、特許文献１参照）。この構成によれば、記録媒体がプラテンから浮き上がらないように記録ヘッドへ給送することができ、安定して搬送できる。
【先行技術文献】
【特許文献】
【０００３】
【特許文献１】特開平７−３２３９３９号公報
【発明の概要】
【発明が解決しようとする課題】
【０００４】
上記従来の構成では、補助板とプラテンとの間に記録媒体を挟むので、記録媒体の厚みの影響を受けることがある。例えば、極端に厚くサイズの小さい記録媒体に記録を行う場合、記録媒体を挟む位置と、記録媒体から外れた位置との段差により、補助板が傾いて、この傾きにより記録媒体を押圧する力に多少のむらを生じる可能性がある。記録媒体押圧する力のむらが問題を生じるとは限らないものの、安定して搬送及び記録を行うためには、記録媒体を均一な力で押圧することが望まれる。このため、記録媒体の厚みによる補助板の傾きを抑えることが望まれていた。
【０００５】
本発明は、上述した事情に鑑みてなされたものであり、プラテンに対して記録媒体を圧接させる補助板の傾きを生じにくい記録装置、及び、記録装置における記録媒体の支持構造を提供することを目的とする。
【課題を解決するための手段】
【０００６】
上記課題を解決するため、本発明は、記録ヘッドにより記録媒体に記録する記録装置において、前記記録ヘッドと対向して配置されるプラテンと、前記記録ヘッドの上流側において前記プラテンに前記記録媒体を圧接する案内補助板と、を備え、前記案内補助板の前記記録媒体と当接する先端部側は前記プラテンの長手方向に並ぶ複数の案内部に分割されていること、を特徴とする記録装置を提供する。
この構成によれば、記録ヘッドの上流側において、プラテンとの間に記録媒体を圧接する案内補助板の先端部側が複数の案内部に分割されているので、記録媒体に接する案内部と記録媒体から外れた位置の案内部とが各々独立してプラテンに記録媒体を圧接する。このため、記録媒体の厚みやサイズの影響による案内補助板の傾きを抑制することができ、均一な力で記録媒体を支持し、安定して記録を行うことができる。
【０００７】
上記構成において、前記記録ヘッドの上流側において、前記案内補助板と前記プラテンとの間に前記記録媒体を導く案内部材が設けられ、前記案内補助板の先端部側には、少なくとも前記案内部材の先端に重なる位置までスリットが形成されていてもよい。
この場合、案内補助板とプラテンとの間に記録媒体を導く案内部材の先端に重なる位置まで、先端部側を複数の案内部に分割するスリットが形成されているので、記録媒体に接する部分の全てが複数の案内部に分割されている。このため、記録媒体の厚みやサイズの影響による案内補助板の傾きをほぼ確実に解消できる。
また、上記構成において、前記案内補助板の各々の前記案内部は、前記記録媒体の弾力に抗し得る強さの力で前記プラテンに圧接されていてもよい。
この場合、案内補助板の各々の案内部が、記録媒体の弾力に抗し得る強さの力でプラテンに圧接されているので、記録媒体を確実にプラテンに圧接して、記録ヘッドへ案内することができ、安定して記録を行うことができる。
【０００８】
また、本発明は、記録ヘッドにより記録媒体に記録する記録装置において、前記記録ヘッドと対向して配置されるプラテンと、前記記録ヘッドの上流側において前記プラテンに前記記録媒体を圧接する複数の案内補助板と、を備え、複数の前記案内補助板は、前記プラテンの長手方向に並べて配置されこと、を特徴とする記録装置を提供する。
この構成によれば、記録ヘッドの上流側において、プラテンの長手方向に並ぶ複数の案内板が配置され、これら複数の案内補助板によってプラテンとの間に記録媒体を圧接するので、記録媒体に接する案内補助板と記録媒体から外れた位置の案内補助板とが各々独立してプラテンに記録媒体を圧接する。このため、記録媒体の厚みやサイズの影響による案内補助板の傾きを解消することができ、記録媒体を均一な力で支持し、安定して記録を行うことができる。
【０００９】
本発明は、記録ヘッドにより記録媒体に記録する記録装置において、前記記録媒体を支持する記録媒体の支持構造であって、前記記録ヘッドと対向して配置されるプラテンに対し、前記記録ヘッドの上流側において、案内補助板によって前記記録媒体を圧接する構造を有し、前記案内補助板の前記記録媒体と当接する先端部側は前記プラテンの長手方向に並ぶ複数の案内部に分割されていること、を特徴とする記録媒体の支持構造を提供する。
この構成によれば、記録ヘッドの上流側において、プラテンに記録媒体を圧接する案内補助板がプラテンの長手方向に並ぶ複数の案内部に分割されているので、記録媒体に接する案内部と記録媒体から外れた位置の案内部とが各々独立してプラテンに記録媒体を圧接する。このため、記録媒体の厚みやサイズの影響による案内補助板の傾きを抑制でき、均一な力で記録媒体を支持し、安定して記録を行うことができる。
【００１０】
また、本発明は、記録ヘッドにより記録媒体に記録する記録装置において、前記記録媒体を支持する記録媒体の支持構造であって、前記記録ヘッドと対向して配置されるプラテンに対し、前記記録ヘッドの上流側において、複数の案内補助板によって前記記録媒体を圧接する構造を有し、複数の前記案内補助板を、前記プラテンの長手方向に並べて配置したこと、を特徴とする記録媒体の支持構造を提供する。
この構成によれば、記録ヘッドの上流側において、プラテンの長手方向に並ぶ複数の案内板が配置され、これら複数の案内補助板によってプラテンに記録媒体を圧接するので、記録媒体に接する案内補助板と記録媒体から外れた位置の案内補助板とが各々独立してプラテンに記録媒体を圧接する。このため、記録媒体の厚みやサイズの影響による案内補助板の傾きを解消し、記録媒体をプラテンに均一な力で圧接させることができるので、記録媒体を均一な力で支持し、安定して記録を行うことができる。
【発明の効果】
【００１１】
本発明によれば、記録媒体の厚みやサイズの影響による案内補助板の傾きを解消または抑制することができ、記録媒体を均一な力で支持し、安定して記録を行える。
【図面の簡単な説明】
【００１２】
【図１】実施形態に係るプリンターの斜視図である。
【図２】プリンターの本体の構成を示す断面視図である。
【図３】プラテン近傍の構成を示す要部拡大断面図である。
【図４】シート案内補助板の構成を示す正面図である。
【図５】プラテン近傍の構成及び搬送状態を示す要部平面図である。
【図６】変形例としてのシート案内補助板の構成を示す正面図である。
【発明を実施するための形態】
【００１３】
以下、図面を参照して本発明の実施形態について説明する。
図１は、本発明の記録装置を適用した実施形態に係るプリンター１の外観斜視図である。また、図２はプリンター１の本体１０の構成を示す側断面視図である。
プリンター１は、記録ワイヤを突出する記録ヘッド２０を備え、この記録ヘッド２０によって、記録媒体としてのシートに対してインクリボン（図示略）を介して記録ワイヤを突出することにより、記録媒体に画像（文字、記号、画像等）を記録する。図１及び図２には、理解の便宜のためにインクリボンカートリッジの図示を省略している。また、図２には連続紙１００の搬送経路を破線で示す。
プリンター１で使用可能な記録媒体は、所定サイズにカットされたカットシート、折りたたまれた連続シート、或いはロール状に巻き回されたロールシート等があり、これらのシートを構成する材料は、紙（感熱紙を含む）または合成樹脂製のシート、及び、これらのシートの表面にコーティング等が施されたシートが挙げられる。また、記録媒体は複数枚のシートが重ねられた複写紙であってもよいし、１枚のシートであってもよい。本実施形態では、一例として、普通紙を折り畳んだ連続紙１００を記録媒体として使用する場合について説明する。
このプリンター１は、図示しないホストコンピュータに接続され、このホストコンピュータから送信された印刷データを受信し、受信した印刷データに基づいて印刷（記録）を行う。この印刷データは、印刷する画像（文字を含む）のデータと、印刷実行を指示する制御コマンド、印刷範囲や印刷位置を指定する制御コマンド、その他の制御情報等を含んでいてもよい。
【００１４】
プリンター１は、左サイドフレーム１５、右サイドフレーム１６及び中央フレーム１７からなるフレームを有する本体１０を、本体ケース１２に収容して構成される。本体ケース１２には操作パネル１１等が配置され、プリンター１の外装を構成する。
プリンター１は、本体１０の略中央部において、左サイドフレーム１５と右サイドフレーム１６との間に掛け渡されるキャリッジガイド軸２２を備え、キャリッジガイド軸２２にはキャリッジ２１が挿通されている。キャリッジ２１は、図示しないキャリッジ駆動モーターの動作によってキャリッジガイド軸２２に沿って往復走査される。この走査方向を、主走査方向とする。
キャリッジ２１には記録ヘッド２０が搭載される。記録ヘッド２０は、複数の記録ワイヤ（図示略）を備え、これら記録ワイヤをヘッド先端２０Ａからプラテン２５に向けて突出するドットインパクト式の記録ヘッドである。この記録ヘッド２０がキャリッジ２１とともに走査される間に、記録ワイヤをプラテン２５に向けて打突することにより、連続紙１００の記録面にインクリボンのインクを転写して、行単位で画像を記録する。
プラテン２５は、その表面が弾性を有する材料で覆われたローラー形状のプラテン（いわゆるローラープラテン）である。プラテン２５は左サイドフレーム１５と右サイドフレーム１６との間に掛け渡され、キャリッジガイド軸２２と平行に、すなわち主走査方向に沿って配設されている。
【００１５】
プリンター１の本体１０後部には、プリンター１の外部から供給される連続紙１００を下方から支持する給送ガイド２７と、この給送ガイド２７上で連続紙１００を引き込んでプラテン２５へ向けて給送するトラクターユニット３０と、を備えている。トラクターユニット３０は、本体１０の左サイドフレーム１５及び右サイドフレーム１６に支持されたトラクター駆動軸３２と、トラクターガイド軸３３とに挿通されている。トラクターガイド軸３３は、トラクターユニット３０を支持する軸である。また、トラクター駆動軸３２は、図示しないトラクター駆動モーターの動作によって回転する軸であり、トラクター駆動プーリー３２Ａが取り付けられている。トラクター本体３１の外周には、トラクターベルト３４が巻かれており、トラクター駆動プーリー３２Ａはトラクターベルト３４に嵌合して、トラクター駆動軸３２の駆動力によりトラクターベルト３４を回転させる。また、トラクターベルト３４には複数のピン３４Ａが等間隔で設けられ、これらピン３４Ａは、連続紙１００の側端部に形成されたスプロケット穴（図示略）に嵌合する。このため、トラクターユニット３０は、トラクター駆動軸３２の駆動力によってトラクターベルト３４を回転させることにより、連続紙１００を搬送する。
【００１６】
連続紙１００は、トラクターユニット３０によって、プラテン２５とシート案内２３との間に送られる。案内部材としてのシート案内２３は、プラテン２５の下方に配設され、連続紙１００の搬送路の下面を構成する。シート案内２３は、プラテン２５の周面に沿った曲面２３Ａを有しており、この曲面２３Ａとプラテン２５との間に連続紙１００が入り込む。プラテン２５は、搬送モーター（図示略）の駆動力によって図２中時計回りに回転し、曲面２３Ａとプラテン２５との間に入った連続紙１００を、上方へ向けて搬送する。シート案内２３の曲面２３Ａには、プラテン２５に対向する従動ローラー２６が埋設されている。従動ローラー２６は、左サイドフレーム１５及び右サイドフレーム１６により回転自在に支持され、プラテン２５に向けて圧接されており、プラテン２５の回転に伴って従動する。連続紙１００はプラテン２５と従動ローラー２６との間に挟まれて、滑ることなく搬送される。
プラテン２５により搬送された連続紙１００は、ヘッド先端２０Ａとプラテン２５とが対向する位置に達し、さらに上方へ移動して排出ガイド２８の前面に寄りかかり、プリンター１の外部へ排出される。
このように、プリンター１は、連続紙１００を搬送する搬送機構として、シート案内２３、プラテン２５、従動ローラー２６、給送ガイド２７、及びトラクターユニット３０を備え、この搬送機構によって連続紙１００を搬送しながら、記録ヘッド２０により画像を記録する。
【００１７】
プラテン２５の一端は、本体ケース１２の外に配設されたハンドル１３に連結されており、ハンドル１３を手動で回転させることにより、プラテン２５を回すことができる。ハンドル１３を図１中に符号Ａで示す向きに回転させると、プラテン２５は、記録動作時と同じ順方向に回転し、連続紙１００がプリンター１の上面から排出ガイド２８へ送られる。また、ハンドル１３を図１中の符号Ｂで示す向きに回転させると、プラテン２５は逆方向に回転し、連続紙１００がプラテン２５からトラクターユニット３０へ向けて逆向きに搬送される。このハンドル１３は、連続紙１００の位置を微調整したり、紙ジャム発生時などに連続紙１００を取り除いたりする用途で使用できる。
【００１８】
プリンター１は、プラテン２５に対して圧接されるシート案内補助板２４（案内補助板）を備えている。シート案内補助板２４は、プラテン２５の長手方向（軸方向、主走査方向）に延びる金属製又は合成樹脂製の薄板状部材であり、ヘッド先端２０Ａとプラテン２５とが対向する位置の下方、すなわち記録動作における上流側に位置する。
シート案内補助板２４の下部は、係止部１４によって中央フレーム１７に固定され、シート案内補助板２４の上部がプラテン２５に接している。ここで、シート案内補助板２４の下部はプラテン２５に向けて傾けて固定されており、シート案内補助板２４は、自身の弾性によってプラテン２５に圧接される。
【００１９】
図３は、プラテン２５及びその周辺の構成を示す要部拡大断面図である。
シート案内補助板２４は、シート案内２３の曲面２３Ａの先端２３Ｂと、ヘッド先端２０Ａとの間においてプラテン２５に接している。シート案内補助板２４は、曲面２３Ａとプラテン２５との間を通って搬送された連続紙１００を、ヘッド先端２０Ａとプラテン２５との間に確実に入り込むように支持する部材である。シート案内補助板２４によって、連続紙１００は、プラテン２５に向けて押圧（圧接）され、プラテン２５の周面から離れることなくヘッド先端２０Ａに送られるので、記録ワイヤを突出する際に連続紙１００がプラテン２５から浮き上がらず、高い記録品質を保つことができる。
【００２０】
また、シート案内補助板２４の先端部２４Ａは、プラテン２５から離れる側に折り曲げられている。これは、ハンドル１３（図１）の操作により連続紙１００が逆方向に搬送された場合に、シート案内補助板２４の上端に連続紙１００が引っかからないようにするためである。先端部２４Ａに折り曲げを施すことで、連続紙１００を、プラテン２５の上方からプラテン２５とシート案内補助板２４との間にスムーズに搬送できる。
そして、シート案内補助板２４には、先端部２４Ａから下方に延びる切込部２４Ｄ（スリット）が複数形成されている。
【００２１】
図４は、シート案内補助板２４の構成を示す正面図である。
シート案内補助板２４は、１枚の板状部材で構成され、シート案内補助板２４の下部には、係止部１４（図１、図２）に係合する部分が切り欠かれて係合部２４Ｂが形成されている。係合部２４Ｂは主走査方向に複数形成されている。また、シート案内補助板２４の高さ方向中央部には複数の長孔２４Ｃが並べて形成されている。長孔２４Ｃはシート案内補助板２４の弾性及び／又は剛性を調整する目的で設けられており、長孔２４Ｃの数やサイズを調整することで、上述したようにシート案内補助板２４がプラテン２５に圧接される押圧力を適切な強さに設定できる。
そして、シート案内補助板２４の上端すなわち先端部２４Ａから下方に向けて、切込部２４Ｄが形成されている。切込部２４Ｄは、主走査方向に等間隔で並んでおり、シート案内補助板２４の上部を、複数の案内片２４１（案内部）に分割している。各々の案内片２４１は、切込部２４Ｄの深さＤに相当する部分においては、相互に独立して動かすことができる。図４の例では７つの切込部２４Ｄによって、シート案内補助板２４の上部（先端部）を８つの案内片２４１に分割している。シート案内補助板２４の幅は例えば２００ｍｍであり、この場合、各々の案内片２４１の幅は２５ｍｍである。シート案内補助板２４の先端部２４Ａは、連続紙１００に当接する側である。
【００２２】
図５は、連続紙１００の搬送時におけるプラテン２５近傍の状態を示す要部平面図である。
この図５に示すように、プラテン２５とシート案内補助板２４とを上方から見た場合、シート案内補助板２４は、連続紙１００の厚み分だけプラテン２５の表面から浮き上がる。連続紙１００が、例えば複数枚のシートを重ねた複写紙である場合には、連続紙１００の厚みはシート案内補助板２４の厚みに比べて大きく、シート案内補助板２４の浮き上がり量は無視できない大きさとなる。
本実施形態のプリンター１においては、シート案内補助板２４に切込部２４Ｄを設けて、シート案内補助板２４の上端を複数の案内片２４１に分割しており、各々の案内片２４１は、プラテン２５に接近及び離隔する方向に、独立して動くことが可能である。このため、連続紙１００に接している案内片２４１は連続紙１００の厚み分だけ浮き上がって、プラテン２５から離れる。一方、連続紙１００に接していない案内片２４１はプラテン２５に接したままの状態を保つ。この状態で、シート案内補助板２４の下部は、係止部１４（図１）により固定された状態を保つことができる。
【００２３】
仮に、切込部２４Ｄが形成されていない場合、シート案内補助板は、連続紙１００に接する部分は連続紙１００の厚み分だけ浮き上がるが、連続紙１００に接していない部分は浮き上がらない。ところが、浮き上がる部分とそうでない部分とが一体に接合されているので、シート案内補助板全体が傾くことが懸念される。この傾きが軽微であればすぐさま記録動作に支障を来すことはないものの、対応可能な記録媒体の仕様（サイズ、厚み等）を拡大するとともに常に安定した記録動作を実現する上で、シート案内補助板２４の傾きや、この傾きにより生じるシート案内補助板の押圧力のムラを抑えることが望まれる。この点において本実施形態におけるシート案内補助板２４は、切込部２４Ｄを設けて複数の案内片２４１を形成することで、シート案内補助板２４全体としての傾きを解消している。このため、対応可能な記録媒体の仕様（サイズ、厚み等）を拡大することができ、どのような記録媒体に対しても、常に安定した記録動作を実現できる。
【００２４】
ここで、シート案内補助板２４に形成する切込部２４Ｄの深さＤ（図４）は任意であるが、連続紙１００に接する可能性がある部分を案内片２４１として分割できる深さであることが好ましい。
図３に示すように、シート案内補助板２４は、シート案内２３の先端２３Ｂよりも上で連続紙１００に接する。このため、シート案内補助板２４において、少なくとも先端２３Ｂの高さ位置Ｈに相当する位置まで切込部２４Ｄが形成されていれば、連続紙１００に接する部分が全て案内片２４１として独立して可動になり、連続紙１００の厚みによるシート案内補助板２４全体の傾きをほぼ完全に解消できる。
さらに、切込部２４Ｄの深さＤ（図４）を大きくすると、案内片２４１として可動な部分の長さが増すので、案内片２４１の剛性が低下し、プラテン２５に案内片２４１が圧接される押圧力が弱まる。これを利用して、切込部２４Ｄの深さＤを調整することによって案内片２４１の押圧力を調整できる。
【００２５】
各々の案内片２４１がプラテン２５に圧接される押圧力は、連続紙１００の弾力に抗し得る強さの力であることが好ましい。この連続紙１００の弾力とは、いわゆる紙の“コシ”を指す。案内片２４１の押圧力が連続紙１００のコシよりも強ければ、連続紙１００がプラテン２５から離れようとする力に抗して連続紙１００をプラテン２５に沿って曲げ、ヘッド先端２０Ａへ案内できる。
【００２６】
以上のように、本発明を適用した実施形態に係るプリンター１によれば、連続紙１００を巻き付け搬送するローラー形状のプラテン２５に、プラテン２５との間に連続紙１００を挟んで支持するシート案内補助板２４が、連続紙１００の搬送経路における記録ヘッド２０の上流側でプラテン２５に連続紙１００を圧接し、このシート案内補助板２４において連続紙１００に当接する先端部２４Ａ側は、スリット状の切込部２４Ｄによってプラテン２５の長手方向すなわち軸方向に並ぶ複数の案内片２４１に分割されているので、連続紙１００に接する案内片２４１と連続紙１００から外れた位置の案内片２４１とが各々独立してプラテン２５に圧接される。このため、連続紙１００の厚みやサイズの影響によるシート案内補助板２４の傾きをほぼ解消することができ、均一な力で連続紙１００を支持し、安定して文字等の記録を行うことができる。
また、シート案内補助板２４とプラテン２５との間に連続紙１００を導くシート案内２３が記録ヘッド２０の上流側に設けられ、シート案内補助板２４には、少なくともシート案内２３の先端に重なる位置Ｈまで切込部２４Ｄが形成されて分割されている。このため、連続紙１００に接する部分は全て切込部２４Ｄによって複数の案内片２４１に分割されているので、連続紙１００の厚み分だけ案内片２４１が各々動くことによってシート案内補助板２４全体が傾くことがない。これにより、連続紙１００の厚みやサイズの影響によるシート案内補助板２４の傾きをほぼ確実に解消できる。
また、シート案内補助板２４の各々の案内片２４１は、連続紙１００の弾力に抗し得る強さの力でプラテン２５に圧接されているので、連続紙１００を確実にプラテン２５に圧接してプラテン２５の周面に沿って搬送し、記録ヘッド２０へ案内することができ、安定して記録を行うことができる。
なお、上記実施形態において、切込部２４Ｄは、先端部２４Ａ側に形成された矩形のスリット形状となっているが、この形状に限定されず、線状の切り込みであってもよいし、曲線で構成された形状にシート案内補助板２４を打ち抜いて形成されたものであってもよい。
【００２７】
上記実施形態では、シート案内補助板２４が７つの切込部２４Ｄを有する構成を例に挙げて説明したが、本発明はこれに限定されるものではなく、切込部２４Ｄをより少なくしてもよい。さらには、切込部２４Ｄをシート案内補助板２４の下端まで伸ばした構成、すなわち、完全に分離された複数のシート案内補助板を用いてもよい。これらの場合について変形例として説明する。
【００２８】
［変形例］
図６は、変形例としてのシート案内補助板の構成を示す正面図であり、図６Ａはスリットの数を代えた例を示し、図６Ｂは複数のシート案内補助板を用いる例を示す。
図６Ａに示す例では、シート案内補助板２４と同様に先端部２４Ａ及び係合部２４Ｂを有する薄板状のシート案内補助板４１に、３つの切込部２４Ｄを設けている。このシート案内補助板４１は、４つの案内片２４１を有し、これら４つの案内片２４１の各々が独立して可動である。この場合も、連続紙１００に接する案内片２４１と連続紙１００から外れた位置の案内片２４１とが各々独立してプラテン２５に圧接されるので、上記実施形態と同様に、連続紙１００の厚みやサイズの影響によるシート案内補助板４１の傾きを抑制できる。この図６Ａのシート案内補助板４１における切込部２４Ｄの深さは、上記実施形態で説明した切込部２４Ｄの深さＤと同様に決定すればよい。
【００２９】
また、図６Ｂに示す例では、シート案内補助板２４を切込部２４Ｄにおいて完全に分割した形態と同様の、複数のシート案内補助板４２が並べて配置される。各々のシート案内補助板４２は、案内片２４１と同様に案内部に相当し、長孔２４Ｃに対応する長孔４２Ｃを有し、先端４２Ａは先端部２４Ａと同様に折り曲げられている。各々のシート案内補助板４２は、係止部１４（図１、図２）によって中央フレーム１７（図２）に固定される。
この例では、各々のシート案内補助板４２が、上記実施形態の案内片２４１と同様、独立してプラテン２５に圧接され、連続紙１００の厚みに応じてプラテン２５から離れる。従って、連続紙１００に接するシート案内補助板４２と連続紙１００から外れた位置のシート案内補助板４２とが各々独立してプラテン２５に圧接されるので、連続紙１００の厚みやサイズの影響によるシート案内補助板４２の傾きがなく、連続紙１００を均一な力で支持し、安定して記録を行うことができる。
この例では、上記実施形態とは異なり切込部２４Ｄの深さによる弾性及び剛性の調整ができないが、長孔４２Ｃのサイズや、シート案内補助板４２の幅等を調整することで、シート案内補助板４２の弾性及び／又は剛性を調整できる。シート案内補助板４２の弾性・剛性は、上述した案内片２４１と同様、シート案内補助板２４が連続紙１００のコシに抗し得る強さでプラテン２５に圧接されれば良い。
【００３０】
なお、上記実施形態及び変形例は本発明を適用した一態様を示すものであって、本発明は上記実施形態に限定されない。例えば、上記各実施形態では、プリンター１の本体１０後部に設けられたトラクターユニット３０によって連続紙１００を給送し、本体１０上部から後方に向けて連続紙１００を排出する構成を例に挙げて説明したが、本発明はこれに限定されるものではなく、例えば、本体１０の前方から記録媒体を給送し、記録後の記録媒体を前部または上部から前方へ向けて排出する構成としてもよい。
また、上記実施形態及び変形例では、搬送機構としてプラテン２５及びトラクターユニット３０により連続紙１００を搬送する構成を例に挙げて説明したが、例えば、搬送機構として、記録媒体を搬送する一組または複数組のローラーをさらに備えた構成としてもよい。さらに、シート案内補助板２４、４１、４２は単なる薄板形状に限らず、別の立体的形状を持たせたものであってもよいし、長方形の板に限らない。シート案内補助板２４、４１、４２を本体１０に固定する方法も、係止部１４による固定に限定されず、例えばビスにより固定してもよい。その他の細部構成についても任意に変更可能である。
さらにまた、上記実施形態及び変形例では、ローラー形状のプラテンを用いた場合を例に挙げて説明したが、本発明はこれに限定されるものではなく、平板形状のプラテンを用いてもよい。この場合、記録媒体に接するプラテンの平面に、シート案内補助板２４が対向して設けられるとともに、このシート案内補助板２４によって記録媒体がプラテンの平面に圧接される。この構成においても、上述したように、シート案内補助板２４の傾きを抑えて均一な力で記録媒体を支持できるという効果が得られる。
【００３１】
また、上記実施形態において、記録媒体として連続紙１００を用いる場合について説明したが、記録媒体としてロール紙を用いてもよい。また、記録装置はドットインパクト式のプリンターに限らず、インクを吐出して記録を行うインクジェット式プリンター、サーマルヘッドによって感熱ロール紙に記録を行うサーマルプリンター、熱昇華型プリンター等の各種プリンター、及び、これらのプリンターを機構部品として備えた他の電子機器に対しても適用可能である。
【符号の説明】
【００３２】
１…プリンター（記録装置）、１０…本体、１４…係止部、２０…記録ヘッド、２３…シート案内（案内部材）、２３Ｂ…先端、２４、４１…シート案内補助板（案内補助板）、２４１…案内片（案内部）、２４Ａ…先端部、２４Ｄ…切込部（スリット）、２５…プラテン、４２…シート案内補助板（案内部）、１００…連続紙（記録媒体）。
【図１】
2010195540.tif 000003
【図２】
2010195540.tif 000004
【図３】
2010195540.tif 000005
【図４】
2010195540.tif 000006
【図５】
2010195540.tif 000007
【図６】
2010195540.tif 000008